【手続補正書】
【提出日】平成14年11月29日(2002.11.29)
【手続補正１】
【補正対象書類名】明細書
【補正対象項目名】特許請求の範囲
【補正方法】変更
【補正の内容】
【特許請求の範囲】
【請求項１】
血管内の管腔を検出する方法であって、
血管内へ音響エネルギーを伝送することと、
前記血管内の前記音響エネルギーの伝搬の関数として前記音響エネルギーの反射の信号レベルを評価することと、
前記反射内の低下信号レベルの少なくとも１つの領域を識別することと
を含む方法。
【請求項２】
請求項１記載の方法において、前記評価する行為は前記反射を復調することを更に含む方法。
【請求項３】
請求項２記載の方法において、前記復調する行為は
（ｉ）  前記反射の第１周波数成分を導出することと、
（ｉｉ）  前記反射の第２周波数成分を導出することと、
（ｉｉｉ）  前記第１周波数成分と前記第２周波数成分との部分集合のみを保持するために前記第１周波数成分と前記第２周波数成分とをフィルタすることとを含む方法。
【請求項４】
請求項３記載の方法において、第１周波数を前記導出する行為は前記伝送された音響エネルギーの中心周波数に関係した正弦関数を前記反射に乗算することを含み、かつ第２周波数を前記導出する行為は前記伝送された音響エネルギーの中心周波数に関係した余弦関数を前記反射に乗算することを含む方法。
【請求項５】
請求項４記載の方法において、前記第１周波数成分と前記第２周波数成分とを前記フィルタする行為は差（ベースバンド）周波数成分のみを保持するために前記成分を低域通過フィルタすることを含む方法。
【請求項６】
請求項３記載の方法であって、
平方パラメータを生じるために前記フィルタされた成分の部分集合を平方することと、
平方デシメート化パラメータを生じるために前記平方パラメータを第１サンプリング・レートへデシメートすることと
を更に含む方法。
【請求項７】
請求項６記載の方法であって、前記平方デシメート化パラメータに対する少なくとも１つの深さ依存関数を更に含み、前記少なくとも１つの深さ依存関数は前記血管内の前記音響エネルギーの伝搬損失を少なくとも一部分保証する方法。
【請求項８】
請求項２記載の方法であって、
複数の伝搬間隔中のパワーを決定することと、
前記複数の伝搬間隔の少なくとも１つ内の少なくとも１つの最小を識別することと
を更に含む方法。
【請求項９】
請求項８記載の方法であって、前記反射内の異なった時点に決定された前記少なくとも１つの最小の平均値を決定することを更に含む方法。
【請求項１０】
血管内の少なくとも１つの壁を検出する方法であって、
血管内へ音響エネルギーを伝送することと、
前記血管内の管腔と関連した少なくとも１つの領域を検出することと、
前記管腔に対する血管の前記少なくとも１つの壁の位置を検出することと
を含み、
位置を検出する行為は前記伝送する行為から導出されたＡモード・データを分析することを含む
方法。
【請求項１１】
請求項１０記載の方法において、位置を検出する行為は、
（ｉ）  前記管腔の前記領域と関連したＡモード信号レベルを決定することと、
（ｉｉ）  Ａモード信号レベルが前記管腔の前記領域と関連した前記レベルとより高い信号レベルとの間で変動する少なくとも１つの領域を検出することと、
（ｉｉｉ）  前記少なくとも１つの壁を変動の前記少なくとも１つの領域と関連させることと
を更に含む方法。
【請求項１２】
請求項１１記載の方法において、前記管腔と関連した少なくとも１つの領域を検出する行為は前記Ａモード信号の少なくとも部分を復調することを含む方法。
【請求項１３】
請求項１２記載の方法において、前記復調する行為は
前記Ａモード信号の第１周波数成分を導出することと、
前記Ａモード信号の第２周波数成分を導出することと、
前記Ａモード信号を表すベースバンド成分を得るために前記第１周波数成分と前記第２周波数成分とをフィルタすることと
を含む方法。
【請求項１４】
血管の直径を決定する方法であって、
血管内へ音響エネルギーを伝送することと、
前記血管内の管腔と関連した領域を検出することと、
前記管腔に対する血管の第１壁の位置を検出することと、
前記管腔に対する血管の第２壁の位置を検出することと、
前記第１壁の前記位置と前記第２壁の前記位置とに少なくとも一部分基づいて前記血管の少なくとも部分の直径を決定することと
を含む方法。
【請求項１５】
請求項１４記載の方法において、位置を前記決定する行為は、各々、
（ｉ）  前記管腔の前記領域と関連したＡモード信号レベルを決定することと、
（ｉｉ）  Ａモード信号レベルが前記管腔の前記領域と関連した前記レベルとより高い信号レベルとの間で変動する少なくとも１つの領域を検出することと、
（ｉｉｉ）  前記第１壁又は前記第２壁の位置を変動の前記少なくとも１つの領域とに関連させることと
を更に含む方法。
【請求項１６】
請求項１５記載の方法において、前記第１壁は前記血管の前壁を含み、かつＡモード信号レベルが変動する少なくとも１つの領域を検出する行為は前記管腔の深さよりも浅い深さでこのような少なくとも１つの領域を検出することを含む方法。
【請求項１７】
生被検体の循環系内の血行力学性質を査定する方法であって、
前記生被検体の血管から第１パラメータを測定することと、
前記血管を少なくとも部分的に圧縮することと、
前記圧縮する行為の間中前記血管から第２パラメータを測定することであって、前記第２パラメータを測定する行為は
（ｉ）  前記血管内へ音響波を伝送することと、
（ｉｉ）  前記音響波の少なくとも１つの反響を受信することと、
（ｉｉｉ）  前記血管の直径の推定値を導出するために前記少なくとも１つの反響を分析することと
を含む前記第２パラメータを前記測定する行為と、
前記第２パラメータに少なくとも一部分基づいて校正関数を導出することと、
前記校正関数を使用して第１パラメータを校正することと
を含む方法。
【請求項１８】
請求項１７記載の方法において、校正関数を導出する行為は
前記第２パラメータ内の少なくとも１つのアーチファクトを識別することと、
前記少なくとも１つのアーチファクトに基づいて校正関数を発生することと
を含む方法。
【請求項１９】
生被検体の血管内の血行力学性質を測定する装置であって、
前記血管と関連した少なくとも第１血行力学パラメータを測定するために適合した第１トランスジューサと、
前記血管内へ超音波エネルギーを伝送しかつ前記血管から反響を受信するために適合した第２トランスジューサと、
前記第２トランスジューサに動作上接続されかつ前記反響に基づいて前記血管内の管腔を検出し、かつ前記管腔に基づいて前記血管の直径を推定するように構成された信号プロセッサであって、前記血管の直径の前記推定値は前記第１血行力学パラメータの前記測定を校正するために少なくとも一部分使用される前記信号プロセッサと
を含む装置。
【請求項２０】
請求項１９記載の装置であって、前記第２血行力学パラメータを測定する間に前記血管を圧縮するために適合した圧平デバイスを更に含む装置。
【請求項２１】
請求項２０記載の装置において、前記血管は人間の橈骨動脈を含む装置。
【請求項２２】
請求項２１記載の装置において、前記第１トランスジューサは前記橈骨動脈に近接して配置された圧力トランスジューサを含み、かつ前記第２トランスジューサは前記橈骨動脈にまた近接してまた配置された超音波トランスジューサを含む装置。
【請求項２３】
請求項２２記載の装置において、前記プロセッサは前記反響から導出されたＡモード信号を分析するために適合している装置。
【請求項２４】
生被検体に治療を施す方法であって、
圧力データを測定するために有用である前記被検体の血管を選択することと、
非侵襲的に前記選択された血管から圧力データを測定することと、
前記血管内の管腔の相対的位置と前記血管の少なくとも１つの壁の相対的位置とを検出することによって前記血管から血行力学パラメータを測定することと、
前記血行力学パラメータの前記測定から得られたデータから校正関数を発生することと、
前記血管内の血圧の表示を生じるために前記血圧データに前記校正関数を適用することと、
前記表示に基づいて前記被検体に治療を施すことと
を含む方法。
【請求項２５】
請求項２４記載の方法において、前記血管は人間の橈骨動脈であり、かつ圧力データを測定する行為は前記橈骨動脈に近接した皮膚に当てられたセンサを使用して圧力波形を得ることを含む方法。
【請求項２６】
請求項２５記載の方法において、血行力学パラメータを測定する行為は
音響波を発生することと、
前記橈骨動脈内へ前記音響波を伝送することと、
前記音響波の反響を受信することと、
前記管腔の位置を検出するために前記反響を分析することと、
前記管腔を前記検出する行為に基づいて少なくとも１つの動脈壁の位置を検出することと、
前記管腔の位置と前記少なくとも１つの動脈壁の位置とに基づいて前記動脈の直径を決定することと
を含む方法。
【請求項２７】
生被検体の循環系内の第１パラメータの実値を決定する方法であって、
非侵襲的に循環系と関連した第１パラメータの値を測定することであって、第１パラメータの測定された値は前記第１パラメータの実値とは異なっている第１パラメータを前記測定することと、
循環系の血行力学性質を変更するために前記循環系にストレスを印加することであって、ストレスの前記印加は前記循環系の少なくとも１つの血管内の管腔の位置を検出することによって少なくとも一部分決定されるストレスを前記印加することと、
ストレスが印加される間に循環系と関連した第２パラメータを測定することと、
循環系と関連した第３パラメータを測定することと、
測定された第２パラメータに少なくとも一部分基づいて校正関数を発生することと、
校正関数を使用して測定された第１パラメータを補正することと
を含む方法。
【請求項２８】
請求項２７記載の方法において、
（ｉ）  前記第１パラメータを測定する行為は前記循環系の少なくとも部分内の圧力を測定することを含み、
（ｉｉ）  前記第２パラメータを測定する行為は前記循環系の前記少なくとも部分の直径を測定することを含み、かつ
（ｉｉｉ）  前記第３パラメータを測定する行為は前記管腔内を流れる血液の速度又は運動エネルギーを測定することを含む
方法。
【請求項２９】
血行力学パラメータを拡大縮小する方法であって、
基準波形を用意することと、
前記血行力学パラメータを含む未補正の波形を発生することと、
前記基準波形に少なくとも一部分基づいて前記未補正の波形に対する少なくとも１つの補正を決定することと、
前記未補正の波形を拡大縮小するために前記未補正の波形に前記補正を適用することと
を含む方法。
【請求項３０】
請求項２９記載の方法であって、前記未補正の波形と前記拡大縮小された波形とに少なくとも一部分基づいて伝達関数を計算することを更に含む方法。
【請求項３１】
生被検体の循環系内の血行力学性質を査定する方法であって、
前記被検体の血管から第１パラメータを測定することと、
前記血管から第２パラメータを測定することと、
前記第２パラメータに少なくとも一部分基づいて校正関数を導出することと、
前記校正関数を使用して第１パラメータを校正することと
を含む方法。
【請求項３２】
請求項３１記載の方法であって、前記第２パラメータの測定の間中前記血管を圧縮することを更に含む方法。
【請求項３３】
請求項３２の方法において、校正関数を導出する行為は
前記第２パラメータ中の少なくとも１つのアーチファクトを識別することと、
前記少なくとも１つのアーチファクトに少なくとも一部分基づいて校正関数を発生することと
を含む方法。
【請求項３４】
請求項３３記載の方法において、
第２パラメータを測定する行為は、
前記血管内へ音響波を伝送することと、
前記音響波の少なくとも１つの反響を受信することと、
前記第２パラメータの推定値を導出するために前記少なくとも１つの反響を分析することと
を含む方法。
【請求項３５】
請求項３４記載の方法において、前記第２パラメータは血液速度であり、かつ少なくとも１つのアーチファクトを識別する行為は最高血液速度中の所定変動を識別することを含む方法。
【請求項３６】
請求項３２記載の方法において、第２パラメータを測定する行為は前記血管に流れる血液と関連した運動エネルギーを測定することを含む方法。
【請求項３７】
請求項３６記載の方法において、運動エネルギーを測定する行為は
血管内を流れる血液と関連したドップラー偏移を測定することと、
前記ドップラー偏移に基づいて前記血液の平均運動エネルギーを計算することと
を含む方法。
【請求項３８】
請求項３４記載の方法において、前記音響波はＡモード音響伝送を含む方法。
【請求項３９】
請求項３４記載の方法において、前記音響波はＭモード（運動モード）音響伝送を含む方法。
【請求項４０】
請求項３４記載の方法において、前記音響波はＢモード（輝度モード）音響伝送を含む方法。
【請求項４１】
請求項３２記載の方法において、第２パラメータを測定する行為は前記血液に流れる血液と関連した容積流量を測定することを含む方法。
【請求項４２】
請求項３２記載の方法であって、
前記圧縮する行為の間中前記血液の実圧縮を測定することと、
前記実圧縮を表示する伝達関数を発生することと
を含み、
前記校正関数は前記伝達関数に少なくとも一部分基づいて導出される
方法。
【請求項４３】
請求項３２記載の方法において、前記第２パラメータを測定する行為は
前記動脈内を流れる血液の速度を測定することと、
前記音響波の反響から時間−周波数表現を形成することと
を含む方法。
【請求項４４】
生被検体の血管から得られた圧力信号を校正する方法であって、
前記血管から圧力波形を測定することと、
血行力学パラメータに所定状態を誘発するために前記血管にストレスを印加することと、
前記ストレスが印加される間に前記血管から少なくとも周期的に前記血行力学パラメータを測定することと、
前記血行力学パラメータを測定する行為によって得られた前記データ中の少なくとも１つのアーチファクトを識別することと、
前記少なくとも１つのアーチファクトに少なくとも一部分基づいて校正関数を導出することと、
前記送出された校正関数を使用して、少なくとも周期的に、前記圧力波形を補正することと
を含む方法。
【請求項４５】
請求項４４記載の方法において、前記血行力学パラメータは連続的に測定され、かつ前記校正する行為は前記圧力波形を連続的に校正することを含む方法。
【請求項４６】
生被検体の循環系の血行力学反応を評価する方法であって、
血管と関連した第１パラメータと第２パラメータとの間の第１機能関係を導出することと、
非侵襲的に第１パラメータと第２パラメータとを測定することと、
前記測定された第１パラメータと前記測定された第２パラメータとの少なくとも１つ中の少なくとも１つのアーチファクトを識別することと、
少なくとも前記第１機能関係と前記少なくとも１つのアーチファクトとに基づいて前記第１パラメータの前記測定を拡大縮小することと
を含む方法。
【請求項４７】
請求項４６記載の方法において、導出する行為は
前記血管にストレスを印加することであって、前記ストレスは前記血管内に既知反応を誘発することを含む前記ストレスを印加することと、
前記ストレスが印加される間に前記第２パラメータと第３パラメータとを監視することと、
前記監視から得られたデータに基づいて前記第１パラメータと前記第２パラメータとの間の関係を導出することと
を含む方法。
【請求項４８】
請求項４７記載の方法において、前記ストレスは圧縮ストレスを含み、前記第３パラメータは前記血管に印加される圧平圧力を含み、かつ前記第１機能関係は動脈血圧と前記血管内の血液速度との間の関係を含む方法。
【請求項４９】
血行力学パラメータ測定を校正する方法であって、
血管と関連した第１血行力学パラメータを測定することと、
第２血行力学パラメータを監視することによって前記第１血行力学パラメータの前記測定と関連した誤り成分を識別することと、
前記第２血行力学パラメータと前記誤り成分とに基づいて校正関数を発生することと、
前記校正関数を使用して、前記第１血行力学パラメータを前記測定する間中得られたデータを校正することと
を含む方法。
【請求項５０】
請求項４９記載の方法において、前記第１血行力学パラメータを測定する行為は未小校正の圧力波形を測定することを含む方法。
【請求項５１】
請求項５０記載の方法において、前記未校正の圧力波形内の誤り成分を識別する行為は
前記第２血行力学パラメータの大きさの変動を識別することと、
前記誤り成分の作用を緩和するように前記変動と前記第２パラメータの測定を同期させることと
を含む方法。
【請求項５２】
請求項５１記載の方法において、前記変動は実質的に周期的である方法。
【請求項５３】
請求項５１記載の方法において、前記第２血行力学パラメータを監視する行為は前記血管内を流れる血液の運動エネルギーを監視することを含む方法。
【請求項５４】
少なくとも１つの血管を使用して生被検体の血圧を適合的に測定する方法であって、
前記血管から未校正の圧力データを測定することと、
前記未校正の圧力データを校正するために校正関数を導出することと、
第１間隔に前記導出された校正関数を使用して前記圧力データを校正することと、
前記未校正の圧力データと前記校正関数とを記憶することと、
少なくとも１つの他の時間中に前記被検体から未校正の圧力データを収集することと、
前記被検体内の少なくとも１つの反応を識別するために、記憶された圧力データと校正関数ばかりでなく、前記少なくとも１つの他の時間中に得られたそれを分析することと、
前記少なくとも１つの反応に基づいて少なくとも前記第１間隔の値を調節することと
を含む方法。
【請求項５５】
請求項５４記載の方法において、前記未校正の圧力データを測定する行為は圧力測定法によって動脈圧波形を測定することを含み、かつ導出する行為は
非侵襲的に血行力学パラメータを測定することと、
前記血行力学パラメータを測定する間に前記血管にストレスを印加することであって、前記ストレスは第２血行力学パラメータ内に反応を誘発するストレスを前記印加することと、
前記反応内の少なくとも１つのマーカを識別することと、
前記マーカに少なくとも一部分基づいて前記校正関数を導出することと
含む方法。
【請求項５６】
生被検体の血管内の血行力学性質を測定する装置であって、
前記血管と関連した少なくとも第１血行力学パラメータを測定するために適合した第１トランスジューサと、
前記血管と関連した少なくとも第２血行力学パラメータを測定するために適合した第２トランスジューサと、
前記第１トランスジューサと前記第２トランスジューサとに動作上接続され、かつ前記第２トランスジューサによって生成された信号に少なくとも一部分基づいて校正関数を発生し、かつ前記第１トランスジューサによって生成された信号に前記校正関数を適用する信号プロセッサと
を含む装置。
【請求項５７】
請求項５６記載の装置であって、前記第２血行力学パラメータを測定する間に前記血管を圧縮するために適合した圧平デバイスを更に含む装置。
【請求項５８】
請求項５７記載の装置において、前記血管は人間の橈骨動脈を含む装置。
【請求項５９】
請求項５８記載の装置において、前記第１トランスジューサは前記橈骨動脈に近接して配置された圧力トランスジューサを含み、かつ前記第２トランスジューサは前記橈骨動脈にまた近接して配置された音響トランスジューサを含む装置。
【請求項６０】
請求項５９記載の装置において、前記音響トランスジューサは少なくとも１つの音響発射を前記血管内へ伝送しかつそれからの少なくとも１つの反響を受信し、前記少なくとも１つの反響は前記第２血行力学パラメータと前記圧平デバイスによって印加された圧力との間の関係を発生するために前記信号プロセッサによって使用される装置。
【請求項６１】
請求項６０記載の装置において、前記圧平デバイスは前記圧力トランスジューサを含む装置。
【請求項６２】
請求項６０記載の装置において、前記少なくとも１つの音響発射は音響パルスを含む装置。
【請求項６３】
請求項６０記載の装置において、前記少なくとも１つの音響発射は実質的に連続音響波を含む装置。
【請求項６４】
請求項６０記載の装置において、前記第２血行力学パラメータは前記血管内を流れる血液の最高速度を含む装置。
【請求項６５】
請求項６０記載の装置において、前記第２血行力学パラメータは前記血管内を流れる血液の振幅加重平均速度を含む装置。
【請求項６６】
請求項６０記載の装置において、前記第２血行力学パラメータは前記血管内を流れる血液の運動エネルギーに関係している装置。
【請求項６７】
情報記憶デバイスであって、
データ記憶媒体と、
前記媒体上に記憶された複数のデータとを含み、前記データはデータ・プロセッサ上でランするのに適合したコンピュータ・プログラムを含み、前記コンピュータ・プログラムは第１入力データと第２入力データとに基づいて生被検体の第１血行力学パラメータの校正された値を決定するために構成され、前記第１入力データは前記第１血行力学パラメータの未校正の値を表示しており、前記第２入力データは第２血行力学パラメータを表示しており、前記第１血行力学パラメータの前記校正された値を決定する行為は
前記データ中の少なくとも１つの機能関係を識別するために前記第２入力を分析することと、
校正関数を導出するために前記少なくとも１つの機能関係を利用することと、
前記校正された値を決定するために前記第１入力データに前記校正関数を適用することと
を含む情報記憶デバイス。
【請求項６８】
請求項６７記載の記憶デバイスにおいて、校正関数を前記導出する行為は、
前記第２入力データ中の少なくとも１つのマーカを識別することと、
前記少なくとも１つのマーカに一部分基づいて前記校正関数を決定することとを含む記憶デバイス。
【請求項６９】
請求項６８記載の記憶デバイスにおいて、前記決定する行為は前記第１入力データと関連した誤りに関係する第３入力データを分析することを更に含む記憶デバイス。
【請求項７０】
請求項６７記載の記憶デバイスにおいて、前記コンピュータ・プログラムは前記第２入力データの少なくとも部分の時間−周波数表現を形成することによって前記少なくとも１つのアーチファクトを識別するように更に構成されている記憶デバイス。
【請求項７１】
請求項６７記載の記憶デバイスにおいて、前記データ記憶媒体は磁気媒体を含む記憶デバイス。
【請求項７２】
請求項６７記載の記憶デバイスにおいて、前記複数のデータは機械読取り可能オブジェクト・コードを形成する複数のデータ・ビットを含む記憶デバイス。
【請求項７３】
血行力学パラメータを査定する装置であって、
中央処理ユニットと、
前記中央処理ユニットに動作上結合されたデータ記憶デバイスであって、コンピュータ・プログラムを記憶しかつ検索するために適合している前記データ記憶デバイスと、
１つ以上の外部源からデータ入力を受信するために適合した入力デバイスと、
前記データ記憶デバイスに記憶されたコンピュータ・プログラムとを含み、前記コンピュータ・プログラムは前記入力デバイスを経由して受信された第１入力データと第２入力データとに基づいて第１血行力学の校正された値を導出するように構成され、前記第１入力データは前記第１血行力学パラメータを表示し、前記第２データは前記第２血行力学パラメータを表示し、前記第１血行力学パラメータの前記校正された値を導出する行為は
データ中の少なくとも１つの機能関係を識別するために前記第２入力データを分析することと、
校正関数を導出するために前記少なくとも１つの機能関係を利用することと、
前記校正された値を決定するために前記第１入力データに前記校正関数を適用することと
を含む装置。
【請求項７４】
請求項７３記載の装置であって、ユーザに少なくとも前記校正された値を表示するディスプレイ・デバイスを更に含む装置。
【請求項７５】
請求項７３記載の装置であって、前記中央処理ユニット上でランするために適合したコンピュータ・プログラムを更に含み、前記コンピュータ・プログラムは前記第１入力データ又は前記第２入力データ内の誤り成分を識別するように構成されている装置。
【請求項７６】
生被検体に治療を施す方法であって、
圧力データを測定するために有用な前記被検体の血管を選択することと、
非侵襲的に前記選択された血管から圧力データを測定することと、
前記血管から血行力学パラメータを測定することと、
前記血行力学パラメータの前記測定から得られたデータから校正関数を発生することと、
前記血管内の血圧の表示を生じるために前記圧力データに前記校正関数を適用することと、
前記表示に基づいて前記被検体に治療を施すことと
を含む方法。
【請求項７７】
請求項７６記載の方法において、前記血管は人間の橈骨動脈であり、かつ圧力データを測定する行為は前記橈骨動脈に隣接する皮膚に当てられたセンサを使用して圧力波形を得ることを含む方法。
【請求項７８】
請求項７７記載の方法において、血行力学パラメータを測定する行為は
音響波を発生することと、
前記音響波を前記橈骨動脈内へ伝送することと、
前記音響波の反響を受信することと、
時間の関数として前記血行力学パラメータの表示を導出するために前記反響を分析することと
を含み、
校正関数を発生する行為は
前記表示中の少なくとも１つの特徴を識別し、
前記少なくとも１つの特徴に少なくとも一部分基づいて校正関数を発生する
方法。
【請求項７９】
生被検体の循環系内の第１パラメータの実値を決定する方法であって、
非侵襲的に循環系と関連した第１パラメータの値を測定することとであって、第１パラメータの測定された値は前記第１パラメータの実値と異なっている前記第１パラメータを前記測定することと、
循環系の血行力学性質を変更するために循環系にストレスを印加することと、
ストレスが印加される間に循環系と関連した第２パラメータを測定することと、
測定された第２パラメータに少なくとも一部分基づいて校正関数を発生することと、
校正関数を使用して、測定された第１パラメータを校正することと
を含む方法。
【請求項８０】
血管とセンサとの間の伝達関数を決定する方法であって、前記血管と前記センサとはそれらの間に１つ以上の肉体的構成要素を配置されており、
前記血管と前記構成要素とに集約的に第１大きさを有する第１ストレスを印加することと、
前記第１ストレスに対する前記血管の第１反応を測定することと、
前記血管と前記構成要素とに集約的に第２大きさを有する第２ストレスを印加することと、
前記第２ストレスに対する前記血管の第２反応を測定することと、
前記第１と前記第２と前記第１大きさと前記第２大きさとに基づいて前記伝達関数を決定することと
を含む方法。
【請求項８１】
請求項８０記載の方法において、前記第１ストレスと前記第２ストレスとは圧縮ストレスを含む方法。
【請求項８２】
請求項８１記載の方法において、前記血管の前記第１反応と前記第２反応とは、それぞれ、前記第１ストレスと前記第２ストレスとの下での前記血管の直径の変化を含む方法。
【請求項８３】
請求項８２記載の方法において、直径の前記変化は音響波を使用して決定される方法。
【請求項８４】
請求項８３の方法において、前記音響波はＡモード伝送を含む方法。